(57)【特許請求の範囲】
【請求項１】
テレビ放送に係る放送波を受信するためのアンテナを有し、現在位置と方位を検出できる移動通信端末であって、
前記放送波を送出する放送局の位置情報を保持する放送局位置保持部と、
検出された前記方位を用いて当該移動通信端末が放送波を最適に受信できる最適方位を算出する最適方位算出部と、
前記放送局の位置と検出された前記現在位置における前記最適方位とを表示する方位表示部と、
当該移動通信端末の方位の変化に応じて前記方位表示部による表示を随時更新する方位表示更新部と、
前記方位表示部による表示と並列に、前記放送波の受信状態が最良となる、当該移動通信端末の持ち方及び前記アンテナの折り曲げ角度を表示する持ち方表示部と、
を有する、移動通信端末。
【請求項２】
前記放送波の受信レベルを表示する受信レベル取得部と、
表示された前記最適方位を、前記現在位置から前記放送局の位置の方向に一致させるようユーザに指示する指示部と、
を有し、
ユーザへの前記指示は、前記受信レベルが所定の閾値より小さい場合になされる、
請求項１に記載の移動通信端末。
【請求項３】
前記方位表示部による表示と並列に、前記受信レベルを表示する受信レベル表示部と、
前記受信レベルの変化に応じて前記受信レベル表示部による表示を随時更新する受信レベル表示更新部と、
を有する、請求項２に記載の移動通信端末。
【請求項４】
前記放送局の位置と検出された前記現在位置における前記最適方位とが地図上に表示される、
請求項１乃至３何れか一項に記載の移動通信端末。
【請求項５】
テレビ放送に係る放送波を受信するためのアンテナを有し、現在位置と方位を検出できる移動通信端末において実行される移動通信方法であって、
検出された前記方位を用いて当該移動通信端末が放送波を最適に受信できる最適方位を算出する最適方位算出段階と、
予め保持されている、前記放送波を送出する放送局の位置と、検出された前記現在位置における前記最適方位とを表示する方位表示段階と、
当該移動通信端末の方位の変化に応じて前記表示を随時更新する方位表示更新段階と、
前記方位表示段階による表示と並列に、前記放送波の受信状態が最良となる、当該移動通信端末の持ち方及び前記アンテナの折り曲げ角度を表示する持ち方表示段階と、
を有する、移動通信方法。
【請求項６】
テレビ放送に係る放送波を受信するためのアンテナを有し、現在位置と方位を検出できる移動通信端末において実行される移動通信プログラムであって、
検出された前記方位を用いて当該移動通信端末が放送波を最適に受信できる最適方位を算出する最適方位算出段階と、
予め保持されている、前記放送波を送出する放送局の位置と、検出された前記現在位置における前記最適方位とを表示する方位表示段階と、
当該移動通信端末の方位の変化に応じて前記表示を随時更新する方位表示更新段階と、
前記方位表示段階による表示と並列に、前記放送波の受信状態が最良となる、当該移動通信端末の持ち方及び前記アンテナの折り曲げ角度を表示する持ち方表示段階と、
をコンピュータに実行させる、移動通信プログラム。
【発明の詳細な説明】
【技術分野】
【０００１】
本発明は、移動通信端末、移動通信方法及び移動通信プログラムに関する。
【背景技術】
【０００２】
テレビ放送では水平偏波が用いられているケースが多い。移動通信端末でテレビ放送を受信する場合、一般的にロッドアンテナが用いられている。そのため、放送波の到来方向に対する水平偏波のアンテナ利得パターン（指向性）は８の字形となり、放送波を受信しやすい方向と受信しにくい方向が発生する。また、放送波を受信しやすい方向は、アンテナの構造や位置等により、必ずしも移動通信端末の正面方向と一致しているとは限らない。
【発明の概要】
【発明が解決しようとする課題】
【０００３】
安定した受信を行うためには、ユーザは、移動通信端末の放送波を受信しやすい方向を、放送波の到来方向と一致させる必要がある。しかし、ユーザは、アンテナ利得パターンや放送波の到来方向が分からないため、最適な受信方向を判断することが困難である。
【０００４】
特許文献１には、ユーザに対して外部アンテナの使用やその指向方向の催告、又は受信可能な地域の方位とそこまでの移動距離等を通知するメッセージを端末画面に表示する移動通信端末が開示されている。しかしながら、受信可能な地域を示すメッセージが画面上に示されるに過ぎず、ユーザは、放送波の受信状況が改善する方向を直感的に理解することができない。
【０００５】
本発明は、上記問題に鑑みてなされたものであり、ユーザが、テレビ放送の放送波を最適に受信できる方向に移動通信端末を向けることを支援する移動通信端末を提供することを目的とする。
【課題を解決するための手段】
【０００６】
上述した課題を解決し目的を達成するため、本発明にかかる移動通信端末は、テレビ放送に係る放送波を受信するためのアンテナを有し、現在位置と方位を検出できる移動通信端末であって、前記放送波を送出する放送局の位置情報を保持する放送局位置保持部と、検出された前記方位を用いて当該移動通信端末が放送波を最適に受信できる最適方位を算出する最適方位算出部と、前記放送局の位置と検出された前記現在位置における前記最適方位とを表示する方位表示部と、当該移動通信端末の方位の変化に応じて前記方位表示部による表示を随時更新する方位表示更新部と、前記方位表示部による表示と並列に、前記放送波の受信状態が最良となる、当該移動通信端末の持ち方及び前記アンテナの折り曲げ角度を表示する持ち方表示部と、を有する、移動通信端末を提供する。
【発明の効果】
【０００７】
本発明によれば、ユーザが、テレビ放送の放送波を最適に受信できる方向に移動通信端末を向けることを支援する移動通信端末を提供できる。
【図面の簡単な説明】
【０００８】
【図１】本発明の一実施形態における移動通信端末のシステムの概要を表す図。
【図２】本発明の一実施形態における移動通信端末のハードウェア構成の例を表す図。
【図３】本発明の一実施形態における移動通信端末の機能ブロックの例を表す図。
【図４Ａ】本発明の一実施形態における移動通信端末の最適方位の決定方法を説明する図。
【図４Ｂ】本発明の一実施形態における移動通信端末の最適方位の決定方法を説明する図。
【図４Ｃ】本発明の一実施形態における移動通信端末の最適方位の決定方法を説明する図。
【図５】本発明の一実施形態における移動通信端末の処理フローを表す図。
【図６Ａ】本発明の一実施形態における移動通信端末の表示例を表す図。
【図６Ｂ】本発明の一実施形態における移動通信端末の表示例を表す図。
【発明を実施するための形態】
【０００９】
以下、本発明の実施形態を図面に基づいて説明する。  
１．概要
２．ハードウェア構成
３．機能
４．最適方位の算出方法
５．処理フロー
【００１０】
（１．概要）
図１は、本発明の一実施形態における移動通信端末１００のシステム１の概要を表す。図１におけるシステムは、移動通信端末１００とテレビ放送等に係る放送波を送出する放送局１０１を有する。
【００１１】
移動通信端末１００は、移動体通信網に接続される移動通信端末であり、移動体通信に係る通信波を送受信することができる。また、放送局１０１から送出される、テレビ放送等に係る放送波を受信し、動画コンテンツを再生することができる。テレビ放送等には、携帯電話・移動体端末向けの1セグメント部分受信サービス、いわゆるワンセグ放送や、映像とともに音声やデータ通信が用いられるマルチメディア放送が含まれる。さらに、移動通信端末１００は、ＧＰＳセンサを用いて当該移動通信端末１００の位置を取得でき、地磁気センサ（電子コンパス）を用いて当該移動通信端末１００の向いている方位を取得できる。ここで、移動通信端末１００の向いている方位とは、ユーザが移動通信端末１００を操作するよう手持ちした場合に、移動通信端末１００の上端が指す方位である。
【００１２】
テレビ放送等を受信可能な移動通信端末１００は、放送波を受信するためのロッドアンテナを備えることが一般的である。当該アンテナの利得パターンは八の字形となるため、放送波を受信しやすい向きと、そうでない向きとが発生する。またロッドアンテナ以外でも人体等の影響により放送波を受信しやすい向きと、そうでない向きとが発生することが知られている。よって、移動通信端末１００のユーザは、放送を受信し再生できるような利得を得るため、移動通信端末１００の向きを調整する必要がある。
【００１３】
また、放送波を適切に受信するためには、向きだけでなく、ユーザによる移動通信端末１００の持ち方や、アンテナの位置等も適切である必要がある。
【００１４】
放送局１０１は、テレビ放送等に係る放送波を送出する。図１に示すように、放送局１０１は、エリアごとに存在する。放送局１０１の位置と、放送局１０１が管轄するエリアは既知である。
【００１５】
本発明の一実施形態における移動通信端末１００は、当該移動通信端末１００が放送波を受信しやすい向きを、放送局１０１の方位に向けるよう指示することで、ユーザによる当該移動通信端末１００の向きの調整を支援することができる。ユーザは、移動通信端末１００上に表示される、当該移動通信端末１００の現在位置における放送波を受信しやすい向きと、放送局１０１の位置とを確認しながら、直感的に向きを調整することができる。さらに、ユーザによる当該移動通信端末１００の適切な持ち方や、アンテナの位置の適切な設定を支援することができる。
【００１６】
（２．ハードウェア構成）
図２を用いて、本発明の一実施形態における移動通信端末１００のハードウェア構成の例について説明する。
【００１７】
本発明の一実施形態における移動通信端末１００は、ＣＰＵ２００、ＲＯＭ２０２、ＲＡＭ２０４、フラッシュメモリ２０６、ネットワークコントーラ２０８、通信装置２１０、グラフィックスコントローラ２１２、表示装置２１４、入力コントローラ２１６、入力装置２１８、音声出力コントローラ２２０、音声出力装置２２２、ＧＰＳコントローラ２２４、ＧＰＳセンサ２２６、地磁気センサコントローラ２２８、地磁気センサ２３０、ジャイロセンサコントローラ２３２、ジャイロセンサ２３４、チューナ２３６、放送波受信アンテナ２２８及びバス２４０を有する。
【００１８】
ＣＰＵ２００は、本発明の一実施形態における移動通信端末１００で実行される移動通信プログラムの動作制御を行う。ＲＯＭ２０２は、ＣＰＵ２００が実行する移動通信プログラムの動作に必要なＯＳやデータ等を記憶する。ＲＡＭ２０４は、ＣＰＵ２００のワークエリア等を構成する。フラッシュメモリ２０６は、放送局１０１の位置、当該移動通信端末１００の放送波の受信特性情報、ユーザデータ等を記憶する。放送波の受信特性情報には、放送波を受信しやすい方向や、当該移動通信端末１００の持ち方の情報、アンテナの適切な位置についての情報が含まれる。ネットワークコントローラ２０８は、移動体通信用のアンテナ等の通信装置２１０を介して通信を行うための通信制御を行う。グラフィックスコントローラ２１２は、液晶ディスプレイ等の表示装置２１４を介して、当該移動通信端末１００のユーザに画面を表示するための制御を行う。入力コントローラ２１６は、ボタンやタッチスクリーン等の入力装置２１８を介してユーザから入力される信号を制御する。音声出力コントローラ２２０は、音声を出力するためにスピーカ等の音声出力装置２２２を制御する。ＧＰＳコントローラ２２４は、当該移動通信端末１００の位置情報を取得するためにＧＰＳセンサ２２６を制御する。地磁気センサコントローラ２２８は、当該移動通信端末１００の方位を取得するために地磁気センサ２３０を制御する。ジャイロセンサコントローラ２３２は、角速度を測定して当該移動通信端末１００の角度の変化を取得するためにジャイロセンサ２３４を制御する。チューナ２３６は、放送波受信アンテナ２３８を通じて放送波を受信する。バス２４０は、移動通信端末１００を構成する上記装置を相互に接続し、データのやり取りを行う。
【００１９】
上記構成により、ユーザは、画面上に表示された、現在位置における放送波を受信しやすい向きと、放送局１０１の位置とを確認しながら当該移動通信端末１００の向きを直感的に調整できる。
【００２０】
なお、ジャイロセンサコントローラ２３２およびジャイロセンサ２３４は、端末の手持ち状態のガイドを３次元的に説明する場合において有効であるが、２次元的に説明する場合においてはジャイロセンサコントローラ２３２とジャイロセンサ２３４は備えなくてもよい。この場合、移動通信端末１００の方位（角度）の変化は、方位取得部３１８を用いて取得される。
【００２１】
（３．機能）
図３を用いて、移動通信端末１００の機能ブロックの例について説明する。
【００２２】
本発明の一実施形態における移動通信端末１００は、通信部３００、現在位置取得部３０２、放送波受信部３０４、受信レベル取得部３０６、受信レベル判断部３０８、受信レベル表示更新部３１０、記憶部３１２、放送局位置保持部３１４、端末特性情報保持部３１６、方位取得部３１８、角度取得部３２０、最適方位算出部３２２、方位表示更新部３２４、表示部３２６、持ち方表示部３２８、方位表示部３３０、受信レベル表示部３３２、指示部３３４、音声出力部３３６及び放送局選択部３３８を有する。
【００２３】
通信部３００は、移動通信システム又は無線ＬＡＮ等の移動体通信のために用いられる通信波を送受信する。また、通信部３００は、ＧＰＳ衛星からの信号を受信する。
【００２４】
現在位置取得部３０２は、通信部３００で受信された通信波又はＧＰＳ衛星からの信号を元に、当該移動通信端末の現在位置を取得する。通信波を用いた現在位置の取得のために、例えば、無線ＬＡＮを利用した位置検出技術や、移動通信システムにおける通信波を送出する基地局ＩＤを用いる位置検出技術等、既知の技術を用いることができる。また、ＧＰＳ衛星からの信号を元に現在位置を取得する、既知の技術も用いることができる。取得された位置情報は、例えば二次元又は三次元の座標によって表され、放送局１０１との位置関係を特定することができる。
【００２５】
放送波受信部３０４は、テレビ放送等に係る放送波を受信する。
【００２６】
受信レベル取得部３０６は、放送波受信部３０４で受信された放送波の受信レベルを取得する。受信レベルは、放送波の受信品質を表す指標であり、例えば、放送波を通じて受信された情報のエラーレートに基づいて、例えば０−１００段階に区分される。この場合、０が最もエラーレートが高く、１００が最もエラーレートが低い。受信レベルは必ずしもこの例に制限されず、例えば信号のエラーレートや、ＳＮ比（Ｓｉｇｎａｌ  ｔｏ  Ｎｏｉｓｅ  Ｒａｔｉｏ）、ＣＮ比（Ｃａｒｒｉｅｒ  ｔｏ  Ｎｏｉｓｅ  Ｒａｔｉｏ）のような、放送波の受信品質を表すあらゆる指標を用いることができる。
【００２７】
受信レベル判断部３０８は、受信レベル取得部３０６で取得された受信レベルが、所定の閾値以上かどうかを判断する。所定の閾値は、当該移動通信端末１００において、放送波に含まれるコンテンツを復元して再生するために必要な受信レベルを表す。
【００２８】
受信レベル表示更新部３１０は、当該移動通信端末１００の位置や向きに応じて随時変化する受信レベルを、受信レベル表示部３３２に更新して表示させる。
【００２９】
記憶部３１２は、放送局位置保持部３１４及び端末特性情報保持部３１６とを有し、当該移動通信端末１００内で使用されるデータを記憶するために用いられる。
【００３０】
放送局位置保持部３１４は、放送局１０１の所在を表す位置情報を保持する。位置情報は、例えば、地図上で放送局１０１の位置を特定できるような二次元又は三次元の座標である。また、位置情報とともに、その放送局が管轄するエリア情報を合わせて保持する。エリア情報は、移動通信端末１００が現在位置においてどの放送局からの放送波を受信すべきかを決定するために用いられる。放送局位置保持部３１４に保持される情報は、予め格納されていてもよいし、必要に応じて、通信部３００を通じて受信されてもよい。
【００３１】
端末特性情報保持部３１６は、当該移動通信端末１００の放送波を最も受信しやすい向き、又は受信レベルが最も高くなる向きの情報を保持する。この向きの情報は、例えば、移動通信端末１００の正面方向に対する相対的な角度の差で表現される。向きの情報の詳細については後述する。また、端末特性情報保持部３１６は、放送波の受信レベルを最も高くするための、ユーザによる当該移動通信端末１００の持ち方の情報も保持する。当該情報は、例えば、図６Ａに示される移動通信端末１００の画面の「持ち方ガイド」の表示領域に示されるように、移動通信端末１００に対するユーザの握り方を、アンテナの最適位置とともに表す情報である。端末特性情報保持部３１６に保持される情報は、予め格納されていてもよいし、必要に応じて、通信部３００を通じて受信されてもよい。
【００３２】
方位取得部３１８は、地磁気センサ２３０から取得されるｘ、ｙ軸又はｘ、ｙ、ｚ軸方向の地磁気ベクトル（磁気方位）に基づいて、当該移動通信端末１００が向いている絶対方位を取得する。地磁気ベクトルから方位を計算するための方法は、地磁気センサ２３０によって異なり、既知の技術を用いて実行される。
【００３３】
角度取得部３２０は、ジャイロセンサ２３４から取得される角速度に基づいて、当該移動通信端末１００の角度の変化を取得する。
【００３４】
最適方位算出部３２２は、端末特性情報保持部３１６に保持される、放送波の受信レベルが最も高くなる向きと、方位取得部３１８により取得された方位とから、当該移動通信端末１００において受信レベルが最も高くなる最適方位を算出する。なお、最適方位の算出方法は後述する。最適方位は、現在の移動通信端末１００の向きに応じて随時変化する。このとき、角度取得部３２０で取得された、角度の変化の情報を合わせて用いることで、より正確な方位を取得することができる。
【００３５】
方位表示更新部３２４は、最適方位算出部３２２により随時取得される最適方位を、方位表示部３３０に更新して表示させる。
【００３６】
表示部３２６は、持ち方表示部３２８、方位表示部３３０及び受信レベル表示部３３２を有し、ユーザに対し、放送波の受信レベルが改善するように、移動通信端末１００の向きの調整を促す情報を表示装置２１４に表示する。表示例は、図６Ａ、Ｂに示される。表示例の詳細については後述する。
【００３７】
持ち方表示部３２８は、端末特性情報保持部３１６に保持される、ユーザによる当該移動通信端末１００の持ち方の情報を表示装置２１４に表示する。表示例は、図６Ａ、Ｂに示される。図６Ａ、Ｂでは、移動通信端末１００を、当該移動通信端末１００を手持ちした状態のユーザとして、人を頭上から見たマークで表現している。表示例の詳細については後述する。
【００３８】
方位表示部３３０は、方位表示更新部３２４を通じて得た最適方位を、移動通信端末１００の現在位置と、放送局１０１の位置とともに、画面上に表示する。例えば、最適方位は矢印で、当該移動通信端末１００はユーザを表すマークで、放送局１０１は電波塔を模したマークで表示される。それぞれの矢印又はマークは、当該移動通信端末１００又は放送局１０１の位置を示す地図上とともに表示されてもよい。表示例は、図６Ａ、Ｂに示される。表示例の詳細については後述する。
【００３９】
受信レベル表示部３３２は、受信レベル表示更新部３１０を通じて得た受信レベルを画面上に表示する。受信レベルは、例えば扇形のインジケータを用いて、左端を低い受信レベル、右端を高い受信レベルとして表示することができる。しかしながら、受信レベルの表示方法は特に限定しない。また、受信レベルは、所定の段階を、より少ない段階に抽象化して表示してもよい。表示例は、図６Ａ、Ｂに示される。表示例の詳細については後述する。
【００４０】
指示部３３４は、受信レベル判断部３０８により、受信レベルが閾値より低いと判断された場合に、表示部３２６又は音声出力部３３６を通して、ユーザに端末の向きを変えるよう指示する。このとき、移動通信端末１００の現在位置における最適方位を、放送局１０１の方位と一致させるよう指示する。指示は、表示装置２１４上に表示されるテキストメッセージや、音声出力装置２２２を通じて再生される音声によるメッセージによってなされる。
【００４１】
音声出力部３３６は、指示部３３４からの指示を受けて、ユーザに対して音声メッセージを出力する。出力される音声メッセージは、予め録音された定型文であってもよいし、適宜合成されて出力されてもよい。
【００４２】
放送局選択部３３８は、現在位置取得部３０２によって取得された現在位置を含むエリアを管轄する放送局１０１を選択する。ここで選択された放送局１０１の送出する放送波に対して、当該移動通信端末１００での受信レベルが最適となるように、表示及びユーザへの指示がなされる。
【００４３】
このように、本発明の一実施形態に係る移動通信端末１００は、当該移動通信端末１００において放送波の受信レベルが最適となる最適方位を算出し、現在位置におけるその方位が、放送局１０１の位置を向くようユーザに指示する。その結果、ユーザは、使用する移動通信端末１００の放送波の受信特性や到来方向を知ることなく、当該移動通信端末１００を、放送波を受信するために最適な方位へと向けることができる。
【００４４】
なお、角度取得部３２０は任意の構成要素である。角度取得部３２０を有しない場合であっても、方位取得部３１８により取得された方位を、最適方位の算出に利用することができる。
【００４５】
（４．最適方位の算出方法）
図４Ａ−４Ｃを用いて、最適方位算出部３２２における最適方位の算出方法を具体例とともに説明する。図４Ａ−４Ｃにおいて、移動通信端末１００を、当該移動通信端末１００を手持ちした状態のユーザとして、マークで表現する。このマークは、人を頭上から見た形状を模したものである。そして、人が向く正面方向を基準方向とする。
【００４６】
まず、図４Ａは、当該移動通信端末１００の放送波の受信レベルが最も高くなる、すなわちアンテナの利得が最大となる向きの角度Ｘを予め取得する方法を示す。Ｘは、基準方向から時計回りを正の方向として取得される。図４Ａの例では、Ｘは−２０度である。この角度Ｘは、端末特性情報保持部３１６において、該移動通信端末１００の放送波の受信レベルが最も高くなる向きの情報として保持される。
【００４７】
図４Ｂは、当該移動通信端末１００において最適方位を算出する方法を示す。方位取得部３１８により実際の方位が取得されると、基準方向と、北を指す方向との差の角度Ｙを、時計回りを正の方向として取得する。図４Ｂの例では、Ｙは−３０度である。最適方位Ｚは、Ｘ＋Ｙによって求めることができる。
【００４８】
図４Ｃは、ユーザが、取得されて表示された最適方位を、現在位置からみた放送局１０１の方位に一致させるため、移動通信端末１００の向きを三段階にわかって変化させた例を模式的に表している。移動通信端末１００の向いている方位が変化すると、上述のＹの値が変化するため、最適方位が再計算される。そして、ユーザは、再計算され、再表示された最適方位に基づいて、さらに移動通信端末１００の向きを調整する。
【００４９】
このように、予め与えられた角度Ｘと、取得されるＹの値を用いて最適方位を算出する。そして、変化するＹの値に合わせて、最適方位は随時更新される。
【００５０】
（５．処理フロー）
図５、図６Ａ、６Ｂを用いて、移動通信端末１００の処理フローの一例について説明する。図５は、移動通信端末１００の処理フローを示し、図６Ａ、６Ｂは、移動通信端末１００の表示画面を表している。図６Ａ、６Ｂにおける表示画面は３つの表示領域に分かれており、上から順に「受信レベル」表示領域、「持ち方ガイド」表示領域及び「最適方位」表示領域を表す。
【００５１】
ステップＳ５００から、移動通信端末１００の処理が開始される。
【００５２】
ステップＳ５０２において、現在位置取得部３０２は移動通信端末１００の現在位置を取得する。
【００５３】
ステップＳ５０４において、放送局選択部３３８は、現在位置に対応する放送局１０１を選択する。以後、選択された放送局１０１の送出する放送波に対して、最適な受信レベルが得られるよう、当該移動通信端末の向きを調整する。
【００５４】
ステップＳ５０６において、方位取得部３１８は移動通信端末１００の方位を取得する。
【００５５】
ステップＳ５０８において、最適方位算出部３２２は、最適方位を算出する。算出方法は前述した通りである。
【００５６】
ステップＳ５１０において、受信レベル取得部３０６は、放送波の受信レベルを取得する。
【００５７】
ステップＳ５１２において、持ち方表示部３２８は、端末特性情報保持部３１６に保持される、ユーザによる当該移動通信端末１００の持ち方の情報を表示する。表示例を図６Ａ、６Ｂの「持ち方ガイド」表示領域に示す。このように、当該表示は、ユーザが移動通信端末１００を手にする際の指の位置や、ロッドアンテナの方向についての情報を含む。
【００５８】
ステップＳ５１４において、方位表示部３３０は、最適方位算出部３２２によって算出された最適方位を、当該移動通信端末１００の現在位置及び放送局１０１の位置とともに画面上に表示する。表示例を図６Ａ、６Ｂの「最適方位」表示領域に示す。この例では、ユーザの正面方向と、最適方位とが示され、当該移動通信端末の位置１００と放送局１０１は、地図とともに表示される。
【００５９】
ステップＳ５１６において、受信レベル表示部３３２は、取得された受信レベルを画面上に表示する。表示例を図６Ａ、６Ｂの「受信レベル」表示領域に示す。この例では、例えば扇形のインジケータを用いて、左端を低い受信レベル、右端を高い受信レベルとして表示している。
【００６０】
ステップＳ５１８において、受信レベル判断部３０８により、受信レベルが閾値以上かどうかが判断される。受信レベルが閾値以上であればステップＳ５２２へ進み、受信レベルが閾値未満であればステップＳ５２０へと進む。
【００６１】
ステップＳ５２０において、指示部３３４は、ユーザに対して、最適方位が放送局１０１を向くよう、当該移動通信端末１００の向きを変えるように指示する。この場合に、スピーカを通じて、向きを変えるよう指示する音声メッセージを出力してもよい。あるいは、画面上にテキストメッセージを表示してもよい。メッセージは、どの方向にどの程度向きを変えるべきかといった具体的なものであってもよいし、単に「最適方位」表示領域の矢印が放送局１０１を指すよう向きを変えることを促すものであってもよい。
【００６２】
ステップＳ５２０の後、再度ステップＳ５０６において端末の現在位置と方位が取得される。この後、同様に最適方位と受信レベルが再取得され、表示内容が更新される。図６Ｂは、図６Ａの表示内容に従って、ユーザがアンテナを正しい位置にし、移動通信端末１００の向きを変えた結果、受信レベルが改善された例を表している。
【００６３】
ステップＳ５２２において、当該処理は終了する。
【００６４】
以上により、ユーザは、端末の向きを変えるごとに更新される、画面上の最適方位と放送局１０１とを確認しながら、直感的に、当該移動通信端末を最適な受信レベルが得られる方位に向けることができる。このとき、受信レベルを合わせて表示することで、向きの調整が正しくなされているか確認することができる。さらに、受信レベルを最適にするための持ち方とアンテナの位置を合わせて表示することで、普段テレビ放送等の視聴に慣れてないユーザでも最適な受信レベルを得ることができる。
【００６５】
なお、ステップＳ５０８、Ｓ５１０の順序は任意である。
【００６６】
また、ステップＳ５１２、Ｓ５１４、Ｓ５１６の順序は任意である。
【００６７】
また、ステップＳ５２０の指示は、ユーザの習熟によって、省略することができる。すなわち、ユーザは、最適方位を放送局１０１に合わせるような指示を受けることなく、「最適方位」表示領域を確認するだけで、移動通信端末１００の向きを最適な受信レベルが得られる方向に合わせることができる。
【００６８】
また、ステップＳ５２０の後、ステップＳ５０２に進み、再び移動通信端末１００の現在位置を取得してもよい。これにより、移動通信端末１００が移動した場合に、移動後のエリアに対応する放送局から送出される放送波に対して、最適な受信レベルを得るよう移動通信端末１００の向きを調整することができる。
【先行技術文献】
【特許文献】
【００６９】
【特許文献１】特開２００９−３０３１０２号公報
【符号の説明】
【００７０】
１００  移動通信端末
３００  通信部
３０２  現在位置取得部
３０４  放送波受信部
３０６  受信レベル取得部
３０８  受信レベル判断部
３１０  受信レベル表示更新部
３１２  記憶部
３１４  放送局位置保持部
３１６  端末特性情報保持部
３１８  方位取得部
３２０  角度取得部
３２２  最適方位算出部
３２４  方位表示更新部
３２６  表示部
３２８  持ち方表示部
３３０  方位表示部
３３２  受信レベル表示部
３３４  指示部
３３６  音声出力部
３３８  放送局選択部
【図１】
0005647595.tif 000002
【図２】
0005647595.tif 000003
【図３】
0005647595.tif 000004
【図４Ａ】
0005647595.tif 000005
【図４Ｂ】
0005647595.tif 000006
【図４Ｃ】
0005647595.tif 000007
【図５】
0005647595.tif 000008
【図６Ａ】
0005647595.tif 000009
【図６Ｂ】
0005647595.tif 000010